【手続補正書】
【提出日】平成18年6月22日(2006.6.22)
【手続補正１】
【補正対象書類名】明細書
【補正対象項目名】特許請求の範囲
【補正方法】変更
【補正の内容】
【特許請求の範囲】
【請求項１】  特定の抗原に事前に曝露された哺乳動物宿主において抗原提示細胞媒介性リンパ球増殖を抑制するための組成物であって、該組成物は、Ｚｏｔまたはゾヌリンからなる群より選択される、有効量のＺｏｔ関連免疫調節因子を含み、該量が該抗原提示細胞の活性をダウンレギュレートするために有効である、組成物。
【請求項２】  哺乳動物宿主において特定の抗原に対する抗原提示細胞媒介性リンパ球増殖を抑制するための組成物であって、該組成物は、Ｚｏｔまたはゾヌリンからなる群より選択される、有効量のＺｏｔ関連免疫調節因子を該特定の抗原と組み合せて含み、該量が該抗原提示細胞の活性をダウンレギュレートするために有効である、組成物。
【請求項３】  自己免疫関連障害または自己免疫関連疾患または免疫関連障害または免疫関連疾患に罹患した哺乳動物宿主を処置するための組成物であって、該組成物は、Ｚｏｔまたはゾヌリンからなる群より選択される、有効量のＺｏｔ関連免疫調節因子を含み、該量が抗原提示細胞媒介性リンパ球増殖をダウンレギュレートするために有効である、組成物。
【請求項４】  自己免疫関連障害または自己免疫関連疾患または免疫関連障害または免疫関連疾患に罹患した哺乳動物宿主を処置するための組成物であって、該組成物は、Ｚｏｔまたはゾヌリンからなる群より選択される、有効量のＺｏｔ関連免疫調節因子を該疾患または該障害に特異的な抗原と組み合せて含み、該量が抗原提示細胞媒介性リンパ球増殖をダウンレギュレートするために有効である、組成物。
【請求項５】  組織移植または器官移植後に免疫拒絶を患っている哺乳動物宿主を処置するための組成物であって、該組成物は、Ｚｏｔまたはゾヌリンからなる群より選択される、有効量のＺｏｔ関連免疫調節因子を含み、該量が抗原提示細胞媒介性リンパ球増殖をダウンレギュレートするために有効である、組成物。
【請求項６】  組織移植または器官移植後に免疫拒絶を患っている哺乳動物宿主を処置するための組成物であって、該組成物は、Ｚｏｔまたはゾヌリンからなる群より選択される、有効量のＺｏｔ関連免疫調節因子を特異的な移植抗原と組み合せて含み、該量が抗原提示細胞媒介性リンパ球増殖をダウンレギュレートするために有効である、組成物。
【請求項７】  炎症疾患または炎症障害またはアレルギー疾患またはアレルギー障害に罹患した哺乳動物宿主を処置するための組成物であって、該組成物は、Ｚｏｔまたはゾヌリンからなる群より選択される、有効量のＺｏｔ関連免疫調節因子を含み、該量が抗原提示細胞媒介性リンパ球増殖をダウンレギュレートするために有効である、組成物。
【請求項８】  炎症疾患または炎症障害またはアレルギー疾患またはアレルギー障害に罹患した哺乳動物宿主の処置のための組成物であって、該組成物は、Ｚｏｔまたはゾヌリンからなる群より選択される、有効量のＺｏｔ関連免疫調節因子を特異的な炎症関連抗原または特異的な炎症関連アレルゲンと組み合わせて含み、該量が抗原提示細胞媒介性リンパ球増殖をダウンレギュレートするために有効である、組成物。
【請求項９】  請求項３または４に記載の組成物であって、前記自己免疫関連疾患または自己免疫関連障害または免疫関連疾患または免疫関連障害が、多発性硬化症、慢性関節リウマチ、インスリン依存性真性糖尿病、セリアック病、シェーグレン症候群、全身性エリテマトーデス、自己免疫性甲状腺炎、特発性血小板減少性紫斑病、溶血性貧血、グレーヴス病、アディソン病、自己免疫精巣炎、悪性貧血、脈管炎、自己免疫性凝固障害、重症筋無力症、多発性神経炎、天疱瘡、リウマチ性心臓炎、多発性筋炎、皮膚筋炎、および強皮症からなる群より選択される、組成物。
【請求項１０】  請求項７または８に記載の組成物であって、前記炎症疾患または炎症障害またはアレルギー疾患またはアレルギー障害が、喘息、乾癬、湿疹性皮膚炎、カポージ肉腫、多発性硬化症、炎症性腸疾患、平滑筋細胞の増殖性障害、ならびに真菌感染に関連する炎症性状態、ウイルス感染に関連する炎症性状態、寄生生物感染に関連する炎症性状態および細菌感染に関連する炎症性状態からなる群より選択される、組成物。
【請求項１１】  請求項１〜８に記載の組成物であって、前記哺乳動物宿主がヒトである、組成物。
【請求項１２】  請求項１〜８に記載の組成物であって、前記哺乳動物宿主が、ヒト、ウシ、ヒツジ、ブタ、ネコ、スイギュウ、イヌ、ヤギ、ウマ、ロバ、シカおよび霊長類からなる群より選択される、組成物。
【請求項１３】  請求項１〜８に記載の組成物であって、前記免疫調節因子が、薬学的に受容可能なキャリア、アジュバントおよび送達ビヒクルからなる群のうちの少なくとも１つと混合して投与するために適している、組成物。
【請求項１４】  請求項２、４、６または８に記載の組成物であって、前記抗原が、薬学的に受容可能なキャリア、アジュバントおよび送達ビヒクルからなる群のうちの少なくとも１つと混合して投与するために適している、組成物。
【請求項１５】  請求項２、４、６または８に記載の組成物であって、前記抗原および前記免疫調節因子が、同時投与または連続的投与のために適している、組成物。
【請求項１６】  請求項１〜８に記載の組成物であって、前記免疫調節因子が粘膜表面への投与のために適している、組成物。
【請求項１７】  請求項２、４、６または８に記載の組成物であって、前記抗原および前記免疫調節因子が粘膜表面への投与のために適している、組成物。
【請求項１８】  請求項１６に記載の組成物であって、前記粘膜表面が、腸上皮、リンパ系組織、気管支関連リンパ系組織、鼻関連リンパ系組織、生殖器関連リンパ系組織、および扁桃から選択される、組成物。
【請求項１９】  請求項１７に記載の組成物であって、前記粘膜表面が、腸上皮、リンパ系組織、気管支関連リンパ系組織、鼻関連リンパ系組織、生殖器関連リンパ系組織、および扁桃から選択される、組成物。
【請求項２０】  請求項１〜８に記載の組成物であって、前記免疫調節因子が非経口投与のために適している、組成物。
【請求項２１】  請求項２、４、６または８に記載の組成物であって、前記抗原および前記免疫調節因子が非経口投与のために適している、組成物。
【請求項２２】  請求項１〜８に記載の組成物であって、前記免疫調節因子を投与する様式が、静脈内投与、皮内投与、筋肉内投与、および皮下投与からなる群より選択される、組成物。
【請求項２３】  請求項２、４、６または８に記載の組成物であって、前記抗原および前記免疫調節因子を投与する様式が、静脈内投与、皮内投与、筋肉内投与、および皮下投与からなる群より選択される、組成物。
【請求項２４】  特定の抗原に事前に曝露された細胞の培養物中で抗原提示細胞媒介性リンパ球増殖を抑制する方法であって、該方法は、Ｚｏｔまたはゾヌリンからなる群より選択される、一定量のＺｏｔ関連免疫調節因子と該培養物を接触させる工程であって、該量が該抗原提示細胞の活性をダウンレギュレートするために有効である、工程、を包含する、方法。
【請求項２５】  抗原に応答した細胞の培養物中での抗原提示細胞媒介性リンパ球増殖を抑制する方法であって、該方法は、Ｚｏｔまたはゾヌリンからなる群より選択される、該抗原提示細胞の活性をダウンレギュレートするために有効な量のＺｏｔ関連免疫調節因子と該培養物を該抗原と組み合わせて接触させる工程であって、該量が該抗原提示細胞の活性をダウンレギュレートするために有効である、工程、を包含する、方法。